(57)【要約】【課題】免震球が強風等により転動することを、下転動板面の中央を所定の半径範囲内で開穴して、穴下側に砂粒を圧蜜状に充填した粒状体収納袋を収容させ、該収納袋上に免震球を載置して、砂粒と免震球との摩擦抵抗力を利用して防止する、シンプルで安価な、強風揺動防止機構を内蔵した免震球支承装置を得る。【解決手段】免震球１の下極点が平常時に当接する下転動板２面中心点から所定の半径範囲内を、下転動板２の上下面間を貫通させて開穴口３とし、更に該開穴口３の下端口側が当接する、下転動板支持台盤４の適宜な深さまで延長開穴して粒状体充填筒状室５を形成させ、該室５内に、粒状体収納繊維布袋６内に珪砂７を満たして、粒状体充填筒状室５の該開穴口３を僅かに超える線まで圧蜜状に充填し、粒状体収納繊維布袋６上端上に免震球１を載置する。【選択図】  図１
2014114921.tif 000002
【特許請求の範囲】
【請求項１】
下転動板面が凹円錐状等の下転動板上に単数の免震球を載置してなる免震球支承装置において、免震球の下極点が平常時に当接する下転動板面中心点から所定の半径範囲内を、下転動板の上下面間を貫通させて開穴口とし、更に該開穴口の下端側口が当接する、下転動板支持台盤の適宜な深さまで延長開穴して一連の粒状体充填筒状室を形成させ、適宜な粒状体を、粒状体充填筒状室内を満たした上に、粒状体の充填上端高を、該開穴口の下転動板上面線を適宜に超える高さとし、適宜な手段で圧蜜状に充填し、粒状体の充填上端側を覆って転動面シートを布設し、転動面シートの全外周端を下転動板下面下に緊張状に押さえ込んで下転動板を下転動板支持台盤に螺着し、粒状体充填筒状室と免震球との鉛直中心線を合わせて、免震球を転動面シート上に載置し、免震球上に上転動板を載置し、上転動板を軽構造物等の下端基材に螺着してなる、強風揺動防止機構を内蔵したことを特長する、強風揺動防止機構を内蔵した免震球支承装置。
【請求項２】
適宜な粒状体を、粒状体充填筒状室内を満たした上に、粒状体の充填上端高を、該開穴口の下転動板上面線を適宜に超える高さとし、適宜な手段で圧蜜状に充填するのに代えて、適宜数の粒状体収納繊維布袋内に適宜な粒状体を満たして収納し、開袋口を緊張状に閉袋し、閉袋した粒状体収納繊維布袋を、粒状体充填筒状室内に満たした上に、最上段となる粒状体収納繊維布袋の上端高を、該開穴口の下転動板上面線を適宜に超える高さまでとして、適宜な手段で圧蜜状に充填し、最上段となる粒状体収納繊維布袋の上端側を覆って転動面シートを布設したことを特長する、請求項１記載の強風揺動防止機構を内蔵した免震球支承装置。
【請求項３】
免震球の全外表面に、適宜な径と高さの円弧状の揺動防止凸起を、相互間に適宜な間隔を用いて形成させてなることを特長する、請求項１または２記載の強風揺動防止機構を内蔵した免震球支承装置。
【請求項４】
粒状体充填筒状室を、下転動板支持台盤の適宜な深さまで延長開穴して一連の粒状体充填筒状室を形成させるに代えて、下転動板の上下面間を貫通させた粒状体充填筒状室の該開穴口の内径と同内径で、適宜な深さを用いた粒状体充填筒状室を有する粒状体充填筒状箱体を別設して地盤側上に配設し、配設した粒状体充填筒状箱体の粒状体充填筒状室の箱口に、下転動板の上下面間を貫通させた該開穴口の下端側を接続するよう、粒状体充填筒状箱体上に下転動板を配設し、粒状体充填筒状箱体の該箱口以外の全外周囲に、下転動板の全下面が当接するよう下転動板支持台盤を形成させてなることを特長する、請求項１から３記載のうち何れか一項記載の強風揺動防止機構を内蔵した免震球支承装置。
【発明の詳細な説明】
【技術分野】
【０００１】
本発明は、軽構造物等の下端基材と地盤間の支持要部に配設する、強風揺動防止機構を内蔵した免震球支承装置に関し、詳しくは、免震球の下極点が平常時に当接する下転動板面中心点から所定の半径範囲内を、下転動板の上下面間を貫通させて開穴し、更に該開穴口が当接する、下転動板支持台盤の適宜な深さまで延長開穴して一連の粒状体充填筒状室を形成させ、粒状体充填筒状室内に満たし該開穴口を適宜に超える高さまで、適宜な粒状体を圧蜜状に充填し、粒状体の充填上端側を覆って転動面シートを緊張状に布設固定し、粒状体充填筒状室と免震球の鉛直中心線とを合わせて免震球を転動面シート上に載置することにより、軽構造物等の自重により、免震球の下極点側が粒状体充填筒状室上端側の粒状体群内に食い込み、免震球と粒状体との摩擦抵抗が増加し、よつて、平常時に強風等の外力で免震球が転動することを阻止され、軽構造物等が揺動することを防止できる、強風揺動防止機構を内蔵した免震球支承装置に関する。
【背景技術】
【０００２】
免震球支承は、転がり摩擦抵抗が小さい上に、同一の免震球支承を支承の耐荷重範囲内の、異なる重量の軽荷重構造物等に用いるのに適する利点を有しており、広く用いられている。しかし、免震球が平常時に強風等の外力で容易に転動するため、軽構造物等が揺動する難点を有している。
【０００３】
この免震球の揺動を防止する従来技術が知られている。揺動防止装置は大別して、免震球支承装置に併設して用いる専用の揺動防止装置と、免震球支承内に組入れた組込型揺動防止装置とがある。
【０００４】
従来技術の専用の揺動防止装置は、電源を必要とする油圧式揺動防止装置が知られており、また精密な機械的構成の揺動防止装置も知られている。しかし、双方共、長年月の保守管理が容易でない難点を有している共に、別個に設置場所を必要とし、狭い面積の軽構造物等の下端と地盤間に設置面積を確保することは容易ではないと考えられる。
【０００５】
従来技術の免震球支承内に揺動防止機構を組入れた組込型揺動防止装置は、別個に設置場所を必要としない利点を有している。しかし、支承が複雑構成の免震球支承装置となり、装置費が高額となる難点を有している。
【０００６】
従来技術に、免震球支承装置内に揺動防止機構を組込んだ免震球支承装置が知られている。（例えば、特許文献１参照）。
【０００７】
上述の特許文献１は、免震球外に荷重支持移動置き基礎または荷重支持固定基礎を配設し、更に免震球の下極点が当接する下転動板上面に転動移行起動窪み穴を開穴して免震球の下極点側を落入させたり、免震球の下極点側を僅かな高さを用いて切断除去して免震球の転動移行起動平面を形成させたりして、平常時に軽構造物荷重を荷重支持移動置き基礎または荷重支持固定基礎に負担させることにより、強風等の外力による軽構造物の揺動を確実に防止させることができる利点を有している。
【０００８】
しかし、平常時に軽構造物荷重を支持するための荷重支持固定基礎または荷重支持移動置き基礎と、地震動時に軽構造物荷重を支持転動するための免震球との双方を、重複して必要とする不経済性があり、免震球支承装置の装置費が高額となる難点を有している。
【０００９】
また従来技術に免震支承装置内に揺動防止機構を組込んだ免震球支承装置が知られている。（例えば、特許文献２参照）。
【００１０】
上述の特許文献２は、平常時に上滑り兼転動板と下部支持柱間に免震球を存在させないことにより、上滑り兼転動板と下部支持柱間が当接し、強風等の外力による軽構造物の揺動を防止させることができる利点を有している。
【００１１】
しかし、上滑り兼転動板が投影する下転動板の適宜な範囲内上に、免震球の直径と同高の円柱状の下部支持柱複数本を、相互間隔を免震球が自在に転動可能として固着し、該適宜な範囲内の下転動板面を免震球の球頂が上滑り兼転動板下面に接触しない適宜な深さまで切除して免震球無負荷水平底面を備えた下転動板面を形成させるには、主として手加工による製品となり、製作費が高額となる難点を有している。
【００１２】
更に、免震動作中に上滑り兼転動板が下部支持柱上端上を往復滑動するため、下部支持柱上端側が磨耗する恐れがあり、磨耗することにより免震球の球頂が上滑り兼転動板下面に接触して免震球が転動し、強風等の外力により、軽構造物の揺動を防止できない場合がでる恐れがある難点を有している。
【先行技術文献】
【特許文献】
【００１３】
【特許文献１】特許登録第４４４６４９１号
【特許文献２】特許登録第４５１０９３２号
【発明の概要】
【発明が解決しようとする課題】
【００１４】
確実に強風等の外力により免震球が転動せず、シンプルで安価で、軽構造物同等の耐久性を有し、その上に長年月の保守管理が容易な、免震球支承装置内に揺動防止機構を内蔵した免震球支承装置の出現を強く要望されている。
【００１５】
本発明は、上記要望に答えるために、前記した従来技術の難点に対処したものであり、別途に専用の揺動防止装置を併設することなく、強風等の外力による免震球の転動を、軽構造物等の自重により、免震球と粒状体との摩擦抵抗を増加させることにより、平常時に強風等の外力で免震球が転動することを阻止し、軽構造物等が揺動することを防止することができる、信頼性が高くシンプルで安価で、その上に軽構造物同等の耐久性を有し、長年月の保守管理が容易な、免震球支承装置内に強風揺動防止機構を内蔵した免震球支承装置を提供することを目的とする。
【課題を解決するための手段】
【００１６】
本発明の上記目的を達成するための第１の解決手段は、下転動板面が凹円錐状等の下転動板上に、単数の免震球を載置してなる免震球支承装置の、免震球の下極点が平常時に当接する下転動板面中心点から所定の半径範囲内を、下転動板の上下面間を貫通させて開穴口とし、更に該開穴口の下端側口が当接する、下転動板支持台盤の適宜な深さまで延長開穴して一連の粒状体充填筒状室を形成させ、適宜な粒状体を、粒状体充填筒状室内を満たした上に、粒状体の充填上端高を、該開穴口の下転動板上面線を適宜に超える高さとし、適宜な手段で圧蜜状に充填し、粒状体の充填上端側を覆って転動面シートを布設し、転動面シートの全外周端を下転動板下面下に緊張状に押さえ込んで下転動板を下転動板支持台盤に螺着し、粒状体充填筒状室と免震球との鉛直中心線を合わせて、免震球を転動面シート上に載置し、免震球上に上転動板を載置し、上転動板を軽構造物等の下端基材に螺着してなる、強風揺動防止機構を内蔵した免震球支承装置の構成である。
【００１７】
下転動板面中心点から所定の半径範囲内とは、粒状体充填筒状室内に粒状体を満たした上に、粒状体の充填上端高を、該開穴口の下転動板上面線を適宜に超える高さとし、適宜な手段で圧蜜状に充填し、粒状体の充填上端側を覆って転動面シートを布設した転動面シート上に載置して用いる免震球が、転動面シートを間に介して、軽構造物等の自重により粒状体群内に食い込み、免震球と粒状体との摩擦抵抗により、免震球の転動を阻止することができる、免震球と粒状体との接触面積が得られる、接触面積の最小限の半径範囲内である。
【００１８】
該接触面積が得られる最小限の半径範囲内の粒状体充填筒状室の該開穴口径を用いることにより、免震球の転動を阻止できると共に、免震球は支障なく転動面シート上から下転動板面上に、下転動板面上から転動面シート上へと反復転動可能で、免震球は転動免震を支障なく行なうことができる。
【００１９】
また、粒状体の充填上端高を、該開穴口の下転動板上面線を適宜に超える高さとすることにより、免震球は支障なく転動面シート上から下転動板面上に、下転動板面上から転動面シート上へと反復転動可能で、免震球は転動免震を支障なく行なうことができる。
【００２０】
粒状体充填筒状室内に充填して用いる適宜な粒状体としては、天然または人工の、珪石砂、その他の岩石砂や火山堆積物等が用いられ、ガラスや金属等でなる人工粒状体も用いられ、その他軽構造物等の荷重を支障なく支持することができる粒状体であれば何れの粒状体も用いることができる。
【００２１】
好ましくは、天然や人工の珪砂、その他の岩石砂の、乾燥した砂粒径の相違する複数種の砂粒を適宜割合に混合して用いることにより、砂粒間が蜜に詰り、砂粒間の摩擦抵抗が増加し、更に粒状体充填筒状室内に該砂粒を適宜な手段で圧蜜状に充填することにより、軽構造物等の荷重を支持した免震球を該砂粒上に支持できると共に、免震球と該砂粒との摩擦抵抗により、免震球の転動を阻止することができる。
【００２２】
粒状体の充填上端側を覆って布設する転動面シートは、粒状体の散逸を防止し、免震球が転動面シート上に長年月間にわたり荷重を負荷して静止し、且つ転動免震するのに支障がでない機能を必要とするため、耐引張性、耐摩擦性、耐久性、耐候性、防水性等の機能を備えた合成樹脂製のシートやシートと繊維布との複合シート等を適宜に選定して用いる。
【００２３】
転動面シートの全外周端を下転動板面下に緊張状に押さえ込んで、接着剤付テープ等で仮接着し、転動面シート上に下転動板を載置し、下転動板を下転動板支持台盤に螺着することで転動面シートは固定され、荷重を負荷した免震球の荷重を、転動面シートは粒状体に支持させる。
【００２４】
第２の解決手段は、適宜な粒状体を、粒状体充填筒状室内を満たした上に、粒状体の充填上端高を、該開穴口の下転動板上面線を適宜に超える高さとし、適宜な手段で圧蜜状に充填するのに代えて、適宜数の粒状体収納繊維布袋内に適宜な粒状体を満たして収納し、開袋口を緊張状に閉袋し、閉袋した粒状体収納繊維布袋を、粒状体充填筒状室内に満たした上に、最上段となる粒状体収納繊維布袋の上端高を、該開穴口の下転動板上面線を適宜に超える高さまでとして、適宜な手段で圧蜜状に充填し、最上段となる粒状体収納繊維布袋の上端側を覆って転動面シートを布設した、第１の解決手段の強風揺動防止機構を内蔵した免震球支承装置の構成である。
【００２５】
粒状体収納繊維布袋は、通気性があり、伸び難く粒状体の自重や外力によって、容易に変形できる柔軟性を有し、耐引張性、耐久性等の機能を備えた合成樹脂製等の織布や不織布が用いるのに適する。適宜に選定して用いる。
【００２６】
粒状体収納繊維布袋を用いることで、粒状体を収納した粒状体収納繊維布袋を粒状体充填筒状室に充填する以前に、収納した粒状体収納繊維布袋に振動や外力等適宜な手段で粒状体群の容積を圧縮堅締することが短時間で行うことができ、粒状体充填筒状室内に粒状体を直接に充填して圧縮堅締するに比し、粒状体の取扱いが容易となり作業効率が向上する。
【００２７】
第３の解決手段は、免震球の全外表面に、適宜な径と高さの円弧状の揺動防止凸起を、相互間に適宜な間隔を用いて形成させてなる第１の解決手段または２の強風揺動防止機構を内蔵した免震球支承装置の構成である。
【００２８】
圧蜜状に充填した粒状体の充填上端側を覆って布設した転動面シート上に載置して用いる平常時の免震球が、転動面シートを間に介して、軽構造物等の自重により粒状体群内に食い込み、免震球と粒状体との摩擦抵抗により免震球の転動を阻止することができるが、更に揺動防止凸起を免震球の全外表面に形成させることにより、より一層免震球が粒状体群内に細かく食い込み、更に粒状体との接触面積が増加し、摩擦抵抗がより増加し免震球の転動をより一層阻止することができる。
【００２９】
なお、揺動防止凸起の形状は円弧状に限られず、形成が容易で、摩擦抵抗がより増加する凸起形状が得られるなら、何れの形状の凸起形状も形成させて用いることができる。
【００３０】
第４の解決手段は、粒状体充填筒状室を、下転動板支持台盤の適宜な深さまで延長開穴して一連の粒状体充填筒状室を形成させるに代えて、下転動板の上下面間を貫通させた粒状体充填筒状室の該開穴口の内径と同内径で、適宜な深さを用いた粒状体充填筒状室を有する粒状体充填筒状箱体を別設して地盤側上に配設し、配設した粒状体充填筒状箱体の粒状体充填筒状室の箱口に、下転動板の上下面間を貫通させた該開穴口の下端側を接続するよう、粒状体充填筒状箱体上に下転動板を配設し、粒状体充填筒状箱体の該箱口以外の全外周囲に、下転動板の全下面が当接するよう下転動板支持台盤を形成させてなる第１から３の解決手段のうち何れか一項記載の強風揺動防止機構を内蔵した免震球支承装置の構成である。
【００３１】
粒状体充填筒状箱体は剛体でなる必要があり、鉄筋コンクリート等や金属材、繊維強化プラスチツク等々が形成用材料として用いるのに適する。適宜に選定して用いる。
【発明の効果】
【００３２】
第１の解決手段により、粒状体充填筒状室内に圧蜜状に充填した粒状体は、免震球を介して軽構造物等の荷重を支持すると共に、転動面シート上に載置した免震球の下極点側の一部が転動面シートを間に介して粒状体に、軽構造物等の自重により粒状体群内に食い込むことにより、免震球と粒状体との摩擦抵抗が増加し、平常時に強風等の外力で免震球が容易に転動し軽構造物等が揺動することを阻止することができると共に、免震球は支障なく転動面シート上から下転動板面上に反復転動可能で、地震動中は双方上を支障なく反復転動免震することができる。また、免震球が転動に至らない中小の地震動を、粒状体が吸収して免震することができる。
【００３３】
第２の解決手段により、粒状体収納繊維布袋を用いることで、粒状体を収納した粒状体収納繊維布袋を粒状体充填筒状室に充填する以前に、収納した粒状体収納繊維布袋に振動や外力を加えて容積を圧縮堅締することが短時間で行うことができ、粒状体充填筒状室内に粒状体を直接に充填するに比し、粒状体の取扱いが容易となり作業効率が向上する。
【００３４】
第３の解決手段により、揺動防止凸起を免震球の全外表面に形成させることにより、より一層免震球と粒状体との接触面積が増加し、摩擦抵抗が増加し免震球の転動をより一層阻止することができる。
【００３５】
第４の解決手段により、粒状体充填筒状室を現場で形成させるよう下転動板支持台盤を形成させるに比し、粒状体充填筒状箱体を別設し、施工現場に粒状体充填筒状箱体を搬入して地盤側に配置し、粒状体充填筒状箱体の該箱口側以外の全外周囲に下転動板支持台盤を形成させることにより、現場施工効率が一段と向上する。
【００３６】
更に粒状体充填筒状箱体を別設することにより、粒状体充填筒状箱体の規格品量産が可能となる経済効果が得られる上に、現場で粒状体を粒状体充填筒状室内に充填施工するに比し、容易に振動や外力を加えて容積を圧縮堅締することができるため、より短時間内に効率よく圧縮堅締することができる。
【図面の簡単な説明】
【００３７】
【図１】（a）  珪砂を粒状体収納繊維布袋内に収納して粒状体充填筒状室に圧蜜状に  充填し、免震球の全外表面に、円弧状の揺動防止凸起を形成させた、強風揺動防止機構  を内蔵した免震球支承装置Ａの縦断面図。（b）  図１aの一点鎖大円線内の拡大縦断  面図。（c）  図１aのＡ−Ａ部の、免震球を透視した切断平面図。
【図２】（a）  珪砂を収納した複数の粒状体収納繊維布袋と、粒状体収納繊維布袋を  粒状体充填筒状室内に充填する直前の状態を示す、該免震球支承装置Ａの縦断面図。（  b）  珪砂を収納した複数の粒状体収納繊維布袋を粒状体充填筒状室内に圧蜜状に充填  した状態を示す、該免震球支承装置Ａの縦断面図。（c）  珪砂を収納した粒状体収納  繊維布袋を粒状体充填筒状室内に圧蜜状に充填し、粒状体収納繊維布袋上端上に転動面  シートを間に介して免震球を載置した状態を示す、該免震球支承装置Ａの縦断面図。
【図３】（a）  粒状体充填筒状箱体を用い、地盤側上に配設した状態を示す、免震球  支承装置Ｂの縦断面図。（b）  配設した粒状体充填筒状箱体の上端側以外の全外周囲  に下転動板支持台盤を形成させ、珪砂を収納した粒状体収納繊維布袋上に転動面シート  を間に介して免震球を載置する直前の状態を示す、免震球支承装置Ｂの縦断面図。
【発明を実施するための形態】
【００３８】
（第１実施形態）図１から図２に基づいて、珪砂を粒状体収納繊維布袋内に収納して粒状体充填筒状室に圧蜜状に充填し、免震球の全外表面に、円弧状の揺動防止凸起を形成させた、強風揺動防止機構を内蔵した免震球支承装置Ａを説明すれば、免震球１の下極点が平常時に当接する下転動板２面中心点から所定の半径範囲内を、下転動板２の上下面間を貫通させて開穴口３とし、更に該開穴口３の下端口側が当接する、下転動板支持台盤４の適宜な深さまで延長開穴して一連の粒状体充填筒状室５を形成させる。
【００３９】
通気性があり、伸び難く粒状体の自重や外力によって、容易に変形できる柔軟性を有し、耐引張性、耐久性等の機能を備えた合成樹脂製の織布でなる適宜数の粒状体収納繊維布袋６として２枚を用い、粒状体収納繊維布袋６内に、適宜な粒状体として、乾燥した天然または人工の砂粒径の相違する適宜複数種の珪砂７を適宜割合に混合して該収納繊維布袋６内に満たして収納し、収納した粒状体収納繊維布袋６に適宜な手段として振動や加圧して珪砂７の容積を圧縮小して開袋口を緊張状に閉袋する。
【００４０】
なお、粒状体として、珪砂７以外に、乾燥した天然または人工の岩石砂等適宜な粒状体を用いることができる。更に、適宜数の粒状体収納繊維布袋６として、本実施形態では２枚の粒状体収納繊維布袋６を用いたが、単数または２枚以上の適宜数の粒状体収納繊維布袋６を用いることができる。
【００４１】
先ず、珪砂７を収納した粒状体収納繊維布袋６の１袋目を下段側として、袋口側を上端側にして粒状体充填筒状室５内に充填し、次に２袋目を上段側として、袋口側を下端側にして、袋底側上端高（粒状体の充填上端高となる。）を、該開穴口３の下転動板２上面線を適宜に超える高さとなるよう、振動や加圧して粒状体充填筒状室５内に圧蜜状に充填する。
【００４２】
下段側と上段側との粒状体収納繊維布袋６の双方の袋口側が粒状体充填筒状室５内で当接し、珪砂７の重量と加圧により双方の開袋口を緊張状に閉袋することを保持することができる。
【００４３】
該開穴口３の下転動板２上面線を適宜に超える高さとなる、粒状体収納繊維布袋６の袋底側上端高（粒状体の充填上端高となる。）上に、該袋底側上端側を全面に覆って転動面シート８を布設し、転動面シート８の全外周端を下転動板２下面下側となる下転動板支持台盤４上面に、接着剤付テープ等で緊張状に仮接着する。
【００４４】
仮接着した転動面シート８上に、下転動板２を、下転動板２の該開穴口３内を突出して、粒状体収納繊維布袋６の該袋底側上端側が、該開穴口３の下転動板２上面線を適宜に超える高さとなり納まるように載置し、転動面シート８を緊張状に押さえ込んで下転動板２を下転動板支持台盤４に螺着する。
【００４５】
なお、下転動板２を適宜枚数に分割して用いれば、転動面シート８を下転動板２下面下側に緊張状に押さえ込んで下転動板２を、下転動板支持台盤４に螺着することが容易に行えることができる。適宜に分割して用いる。
【００４６】
粒状体収納繊維布袋６の袋底側上端高（粒状体の充填上端高となる。）上に、該袋底側上端側を全面に覆って布設する転動面シート８は、免震球１が転動面シート８上に長年月間にわたり荷重を負荷して静止し、且つ転動免震するのに支障がでない機能を必要とするため、耐引張性、耐摩擦性、耐久性、耐候性、防水性等の機能を適宜に備えた合成樹脂製のシートや合成樹脂製のシートと繊維布との複合シート等を適宜に選定して用いる。
【００４７】
下転動板２は、軽構造物等の荷重を分担して安定支持することができる剛体で耐荷重強度を有する必要があり、鉄材（鋼、鋳物等）、軽金属、鉄筋コンクリート、高強度コンクリート、各種繊維補強コンクリート、繊維強化プラスチツク等々が形成材料として適材である。適宜に選定して用いる。
【００４８】
粒状体充填筒状室５と免震球１との鉛直中心線を合わせて、免震球１を転動面シート８上に載置し、免震球１上に上転動板９を載置し、上転動板９を軽構造物等の下端基材１０に螺着する。
【００４９】
下転動板２面中心点から所定の半径範囲内とは、該開穴口３内の平面積と、粒状体充填筒状室５内に圧蜜状に充填した、珪砂７を収納した上段側の粒状体収納繊維布袋６の袋底側上端（粒状体の充填上端高となる。）の袋底平面積とは、ほぼ同一面積である。
【００５０】
上段側の粒状体収納繊維布袋６の袋底側上端の袋底平面積は、転動面シート８上に載置して用いる免震球１が、転動面シート８を間に介して、軽構造物等の自重により、袋底側上端側の珪砂７群内に食い込み、免震球１と珪砂７群との摩擦抵抗により、免震球１の転動を阻止することができる、免震球１と珪砂７群との接触面積が必要であり、従って、免震球１の転動を阻止することができる、最小限の袋底面積が得られる半径範囲内のことである。
【００５１】
上転動板９は、平面状や凹円錐状等の上転動板が用いられる。なお、免震球１の上極点側に免震球受台を備え、該受台を軽構造物等の下端基材１０に固着して用いる場合でも用いることができる。
【００５２】
免震球１の全外表面に、適宜な径と高さの円弧状の揺動防止凸起１１を、該揺動防止凸起１１相互間に適宜な間隔を用いて形成させる。
【００５３】
珪砂７を収納した粒状体収納繊維布袋６の充填上端側を覆って布設した転動面シート８上に載置して用いる平常時の免震球１が、転動面シート８を間に介して、軽構造物等の自重により、粒状体収納繊維布袋６の充填上端側の珪砂７群内に食い込み、免震球１と珪砂７群との摩擦抵抗により、免震球１の転動を阻止することができるが、更に円弧状の揺動防止凸起１１を免震球１の全外表面に形成させることにより、より一層免震球１が該珪砂７群内に細かく食い込み、更に珪砂７群との接触面積が増加し、摩擦抵抗がより増加し免震球１の転動をより一層阻止することができる。
【００５４】
なお、揺動防止凸起の形状は円弧状に限られず、形成加工が容易で、摩擦抵抗がより増加する凸起形状が得られるなら、何れの形状の凸起形状も形成させて用いることができる。
【００５５】
免震球１は剛体でなる必要があり、比較的に小直径の免震球１を用いる場合では、鉄材（鋼、鋳物等）、軽金属、繊維強化プラスチツク等々で形成させると容易に形成させることができ、円弧状の揺動防止凸起１１も容易に形成させて用いることができる。比較的に大直径の免震球１を用いる場合では、上記諸材料や、鉄筋コンクリート、高強度コンクリート、各種繊維補強コンクリート等々で形成させて用いることができる。適宜に選定して用いる。
【００５６】
粒状体充填筒状室５内に圧蜜状に充填した、粒状体収納繊維布袋６内に収納した珪砂７は、砂粒間が蜜に詰り、砂粒間の摩擦抵抗が増加し、転動面シート８上に載置した免震球１を介して、軽構造物等の荷重を支持することができる。
【００５７】
転動面シート８上に載置した免震球１の下極点側の一部が転動面シート８を間に介して珪砂７に、軽構造物等の自重により珪砂７群内に食い込むことにより、免震球１と珪砂７との摩擦抵抗が増加し、平常時に強風等の外力で免震球１が容易に転動し軽構造物等が揺動することを阻止することができると共に、免震球１は支障なく転動面シート８上から下転動板２面上に反復転動可能で、地震動中は双方上を支障なく反復転動免震することができる。また、免震球１が転動に至らない中小の地震動を、珪砂７が吸収して免震することができる。
【００５８】
（第２実施形態）図３に基づいて、珪砂７を収納した粒状体収納繊維布袋６を充填した粒状体充填筒状室５を有する粒状体充填筒状箱体１２を別設して、粒状体充填筒状箱体１２を地盤側１７上に配設して用いる、強風揺動防止機構を内蔵した免震球支承装置Ｂを説明する。
【００５９】
下転動板２の上下面間を貫通させた粒状体充填筒状室５の該開穴口３の内径と同内径で、適宜な深さを用いた粒状体充填筒状室５を有する粒状体充填筒状箱体１２を別設し、別設した粒状体充填筒状箱体１２を配設位置の地盤側１７上に配設する。
【００６０】
粒状体充填筒状箱体１２の粒状体充填筒状室５の箱口１３に、下転動板２の上下面間を貫通させた該開穴口３の下端側が合致するよう下転動板２を粒状体充填筒状箱体１２上に配置する。
【００６１】
地盤側１７上に配設した粒状体充填筒状箱体１２の、該箱口１３以外の全外周囲に、下転動板２の全下面が当接するよう転動板支持台盤４を形成させる。
【００６２】
粒状体充填筒状箱体１２は剛体でなる必要があり、鉄筋コンクリート等や金属材、繊維強化プラスチツク等々が形成用材料として用いるのに適する。適宜に選定して用いる。
【００６３】
粒状体充填筒状箱体１２の外周囲に、粒状体充填筒状箱体１２の釣上げ用取手１４や下転動板支持台盤４との結合用補強鉄筋１５や水平調整ボルト１６を備えると効率的に粒状体充填筒状箱体１２の施工が容易に行える。適宜に備える。
【００６４】
粒状体充填筒状箱体１２を別設して用いることにより、粒状体充填筒状室５を現場で形成させるよう下転動板支持台盤４を形成させるに比し、現場施工効率が一段と向上する。また粒状体充填筒状箱体１２の規格品量産が可能となる経済効果が得られる上に、現場で珪砂７を粒状体充填筒状室５内に充填施工するに比し、容易に振動や加圧して容積を圧縮堅締することができるため、より短時間内に効率よく圧縮堅締することができる。
【００６５】
形状が凹円錐状等の下転動板を用いた強風揺動防止機構を内蔵した免震球支承装置は、免震球の原位置への復元機能を備えた上に、強風による免震球の転動を防止する機能を備えることになる。
【００６６】
形状が平面状の下転動板を用いた免震球支承装置では、前記した強風揺動防止機構を内蔵して用いることができるが、免震球の原位置への復元機能を備えていないため、別途に専用の復元装置を併設して用いないと復元機能が得られない。
【００６７】
なお、強風揺動防止機構を内蔵した免震球支承装置は、上述した実施形態に限定されるものではなく、本発明の主旨を逸脱しない範囲内であれば、他の構成を用いることができる。
【符号の説明】
【００６８】
Ａ  強風揺動防止機構を内蔵した免震球支承装置。
Ｂ  粒状体充填筒状箱体を用いた免震球支承装置。
１  免震球。
２  下転動板。
３  開穴口。
４  下転動板支持台盤。
５  粒状体充填筒状室。
６  粒状体収納繊維布袋。
７  珪砂。
８  転動面シート。
９  上転動板。
１０  下端基材。
１１  円弧状の揺動防止凸起。
１２  粒状体充填筒状箱体。
１３  箱口。
１４  釣上げ用取手。
１５  結合用補強鉄筋。
１６  水平調整ボルト。
１７  地盤側。
【図１】
2014114921.tif 000003
【図２】
2014114921.tif 000004
【図３】
2014114921.tif 000005